(57)【特許請求の範囲】
【請求項１】
アプリケーションインストール装置を用いたアプリケーションインストール方法であって、
前記アプリケーションインストール装置がスマートデバイスとの通信接続を確立するステップと、
前記アプリケーションインストール装置が前記通信接続を通じて前記スマートデバイスへアプリケーションの識別子を含む制御命令を送信するステップと、を含み、
前記通信接続を通じて前記スマートデバイスへ制御命令を送信するステップは、
前記アプリケーションインストール装置がアプリケーションストアの識別子を取得するステップと、
前記アプリケーションインストール装置が前記通信接続を通じて前記スマートデバイスへ前記アプリケーションの識別子と前記アプリケーションストアの識別子とを含む制御命令を送信するステップと、を含み、
前記スマートデバイスには前記アプリケーションストアがインストールされ、前記アプリケーションストアは、前記スマートデバイスが前記アプリケーションのインストールパッケージをダウンロードするために用いられ、
前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられることを特徴とする方法。
【請求項２】
前記アプリケーションインストール装置が前記スマートデバイスとの通信接続を確立するステップは、
前記スマートデバイスの識別子を含む、前記スマートデバイスから送信された接続要求を受信するステップと、
前記スマートデバイスの識別子に基づいて、前記スマートデバイスとの通信接続を確立するステップと、を含むことを特徴とする請求項１に記載の方法。
【請求項３】
スマートデバイスにアプリケーションをインストールするアプリケーションインストール方法であって、
前記スマートデバイスがアプリケーションインストール装置との通信接続を確立するステップと、
アプリケーションの識別子を含む、前記アプリケーションインストール装置が前記通信接続を通じて送信した制御命令を前記スマートデバイスが受信するステップと、
前記スマートデバイスが前記アプリケーションの識別子に基づいて、前記アプリケーションを取得してインストールするステップと、を含み、
前記制御命令は前記アプリケーションの識別子とアプリケーションストアの識別子を含み、前記スマートデバイスには前記アプリケーションストアがインストールされ、
前記スマートデバイスが前記アプリケーションの識別子に基づいて、前記アプリケーションを取得してインストールするステップは、
前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするステップを含むことを特徴とする方法。
【請求項４】
前記スマートデバイスが前記アプリケーションインストール装置との通信接続を確立するステップは、
前記スマートデバイスが前記アプリケーションインストール装置にスマートデバイスの識別子を含む接続要求を送信するステップを含み、
前記接続要求は、前記アプリケーションインストール装置が前記スマートデバイスの識別子に基づいて前記スマートデバイスとの通信接続を確立するために用いられることを特徴とする請求項３に記載の方法。
【請求項５】
アプリケーションインストール装置であって、
スマートデバイスとの通信接続を確立するように構成される通信モジュールと、
前記通信接続を通じて前記スマートデバイスへアプリケーションの識別子を含む制御命令を送信するように構成される送信モジュールと、を備え、
前記制御命令は、前記スマートデバイスが前記アプリケーションの識別子に基づいて前記アプリケーションを取得してインストールするよう指示するために用いられ、
前記送信モジュールは、
アプリケーションストアの識別子を取得するように構成される取得サブモジュールと、
前記通信接続を通じて前記スマートデバイスへ前記アプリケーションの識別子と前記アプリケーションストアの識別子とを含む制御命令を送信するように構成される送信サブモジュールと、を備え、
前記スマートデバイスには前記アプリケーションストアがインストールされ、前記アプリケーションストアは、前記スマートデバイスが前記アプリケーションのインストールパッケージをダウンロードするために用いられ、
前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられることを特徴とする装置。
【請求項６】
前記通信モジュールは、
前記スマートデバイスの識別子を含む、前記スマートデバイスから送信された接続要求を受信するように構成される受信サブモジュールと、
前記スマートデバイスの識別子に基づいて、前記スマートデバイスとの通信接続を確立するように構成される通信サブモジュールと、を備えることを特徴とする請求項５に記載のアプリケーションインストール装置。
【請求項７】
スマートデバイスであって、
アプリケーションインストール装置との通信接続を確立するように構成される通信モジュールと、
アプリケーションの識別子を含む、前記アプリケーションインストール装置が前記通信接続を通じて送信した制御命令を受信するように構成される受信モジュールと、
前記アプリケーションの識別子に基づいて、前記アプリケーションを取得してインストールするように構成される処理モジュールと、を備え、
前記制御命令は前記アプリケーションの識別子とアプリケーションストアの識別子を含み、前記スマートデバイスには前記アプリケーションストアがインストールされ、
前記処理モジュールは、
前記アプリケーションストアの識別子に基づいて前記アプリケーションストアを呼び出し、且つ前記アプリケーションの識別子に基づいて前記アプリケーションストアにおける検索を通じて前記アプリケーションを取得するように構成される検索サブモジュールと、
前記アプリケーションをインストールするように構成されるインストールサブモジュールと、を備えることを特徴とするスマートデバイス。
【請求項８】
前記通信モジュールは、
前記アプリケーションインストール装置へ前記スマートデバイスの識別子を含む接続要求を送信するように構成される送信サブモジュールを備え、
前記接続要求は、前記アプリケーションインストール装置が前記スマートデバイスの識別子に基づいて前記スマートデバイスとの通信接続を確立するために用いられることを特徴とする請求項７に記載のスマートデバイス。
【請求項９】
プロセッサと、
プロセッサの実行可能な指令を記憶するためのメモリと、を備えるアプリケーションインストール装置であって、
前記プロセッサは、
スマートデバイスとの通信接続を確立し、
前記通信接続を通じて前記スマートデバイスへアプリケーションの識別子を含む制御命令を送信するように構成され、
前記制御命令は、前記スマートデバイスが前記アプリケーションの識別子に基づいて前記アプリケーションを取得してインストールするよう指示するために用いられ、
前記通信接続を通じて前記スマートデバイスへ前記制御命令を送信する際に、
前記アプリケーションインストール装置がアプリケーションストアの識別子を取得し、
前記アプリケーションインストール装置が前記通信接続を通じて前記スマートデバイスへ前記アプリケーションの識別子と前記アプリケーションストアの識別子とを含む制御命令を送信し、
前記スマートデバイスには前記アプリケーションストアがインストールされ、前記アプリケーションストアは、前記スマートデバイスが前記アプリケーションのインストールパッケージをダウンロードするために用いられ、
前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられることを特徴とするアプリケーションインストール装置。
【請求項１０】
プロセッサと、
プロセッサの実行可能な指令を記憶するためのメモリと、を備えるスマートデバイスであって、
前記プロセッサは、
アプリケーションインストール装置との通信接続を確立し、
アプリケーションの識別子を含む、前記アプリケーションインストール装置が前記通信接続を通じて送信した制御命令を受信し、
前記アプリケーションの識別子に基づいて、前記アプリケーションを取得してインストールするように構成され、
前記制御命令は前記アプリケーションの識別子とアプリケーションストアの識別子を含み、前記スマートデバイスには前記アプリケーションストアがインストールされ、
前記スマートデバイスが前記アプリケーションの識別子に基づいて、前記アプリケーションを取得してインストールする際に、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールすることを特徴とするスマートデバイス。
【請求項１１】
プロセッサに実行されることにより、請求項１から請求項４のいずれか１項に記載の方法を実現することを特徴とするプログラム。
【請求項１２】
請求項１１に記載のプログラムが記録された記録媒体。
【発明の詳細な説明】
【技術分野】
【０００１】
本発明は、スマートデバイス分野に関し、特にアプリケーションインストール方法、装置、スマートデバイス、プログラムおよび記録媒体に関する。
【背景技術】
【０００２】
スマートデバイスは、開放式オペレーティングシステムを採用して、相応のアプリケーションプログラムをインストールすることにより相応の機能を実現することができる。スマートデバイスの応用分野は非常に広く、例えば、スマートフォン、ＩＰＡＤ（登録商標）、スマートブレスレット、スマートホームデバイス等に応用されることができる。
【０００３】
スマートデバイスの普及に伴い、スマートデバイスにソフトウェアアプリケーションのインストールを行う場合が多い。例えば、遠く離れた故郷にいる父母のためにスマートフォンを買ったのだが、父母が通常一人でスマートフォンにアプリケーションをインストールすることができない。もう１つの例では、スマートウォッチのスクリーンが比較的小さいため、アプリケーションをインストールする際に操作しにくい欠点がある。
【発明の概要】
【発明が解決しようとする課題】
【０００４】
本発明は、このような課題（欠点）を解決するためになされたものであり、アプリケーションインストール方法、装置、スマートデバイス、プログラムおよび記録媒体を提供することを目的とする。
【課題を解決するための手段】
【０００５】
前記技術案は下記の通りである。即ち、本発明の実施例に係る第１態様によれば、アプリケーションインストール方法を提供する。前記方法は、スマートデバイスとの通信接続を確立するステップと、前記通信接続を通じて前記スマートデバイスへアプリケーションの識別子を含む制御命令を送信するステップと、を含み、前記制御命令は、前記スマートデバイスが前記アプリケーションの識別子に基づいて前記アプリケーションを取得してインストールするよう指示するために用いられる。
【０００６】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【０００７】
さらに、前記通信接続を通じて前記スマートデバイスへ制御命令を送信するステップは、アプリケーションストアの識別子を取得するステップと、前記通信接続を通じて前記スマートデバイスへ前記アプリケーションの識別子と前記アプリケーションストアの識別子とを含む制御命令を送信するステップと、を含み、前記スマートデバイスには前記アプリケーションストアがインストールされ、前記アプリケーションストアは、前記スマートデバイスが前記アプリケーションのインストールパッケージをダウンロードするために用いられ、前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられる。
【０００８】
本発明の実施方式によれば、以下のような有益な効果が得られる。即ち、インストールする必要のあるアプリケーションを迅速かつ正確に取得でき、アプリケーションの識別子の類似性によるアプリケーションのインストールエラーを避け、アプリケーションのインストールの効率性と正確性を高める。
【０００９】
さらに、前記、スマートデバイスとの通信接続を確立するステップは、前記スマートデバイスの識別子を含む、前記スマートデバイスから送信された接続要求を受信するステップと、前記スマートデバイスの識別子に基づいて、前記スマートデバイスとの通信接続を確立するステップと、を含む。
【００１０】
本発明の実施方式によれば、以下のような有益な効果が得られる。即ち、アプリケーションインストール装置とスマートデバイスとの間の通信接続を確立することができる。
【００１１】
本発明の実施例に係る第２態様によれば、アプリケーションインストール方法を提供する。前記方法は、アプリケーションインストール装置との通信接続を確立するステップと、アプリケーションの識別子を含む、前記アプリケーションインストール装置が前記通信接続を通じて送信した制御命令を受信するステップと、前記アプリケーションの識別子に基づいて、前記アプリケーションを取得してインストールするステップと、を含む。
【００１２】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００１３】
さらに、前記制御命令は前記アプリケーションの識別子とアプリケーションストアの識別子を含み、前記アプリケーションインストール装置には前記アプリケーションストアがインストールされ、前記アプリケーションの識別子に基づいて、前記アプリケーションを取得してインストールするステップは、前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするステップを含む。
【００１４】
本発明の実施方式によれば、以下のような有益な効果が得られる。即ち、インストールする必要のあるアプリケーションを迅速かつ正確に取得でき、アプリケーションの識別子の類似性によるアプリケーションのインストールエラーを避け、アプリケーションのインストールの正確性と柔軟性を高める。
【００１５】
さらに、前記アプリケーションインストール装置との通信接続を確立するステップは、前記アプリケーションインストール装置へスマートデバイスの識別子を含む接続要求を送信するステップを含み、前記接続要求は、前記アプリケーションインストール装置が前記スマートデバイスの識別子に基づいて前記スマートデバイスとの通信接続を確立するために用いられる。
【００１６】
本発明の実施方式によれば、以下のような有益な効果が得られる。即ち、アプリケーションインストール装置とスマートデバイスとの間の通信接続を確立することができる。
【００１７】
本発明の実施例に係る第３態様によれば、アプリケーションインストール装置を提供する。当該装置は、スマートデバイスとの通信接続を確立するように構成される通信モジュールと、前記通信接続を通じて前記スマートデバイスへアプリケーションの識別子を含む制御命令を送信するように構成される送信モジュールと、を備え、前記制御命令は、前記スマートデバイスが前記アプリケーションの識別子に基づいて前記アプリケーションを取得してインストールするよう指示するために用いられる。
【００１８】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００１９】
さらに、前記送信モジュールは、アプリケーションストアの識別子を取得するように構成される取得サブモジュールと、
前記通信接続を通じて前記スマートデバイスへ前記アプリケーションの識別子と前記アプリケーションストアの識別子とを含む制御命令を送信するように構成される送信サブモジュールと、を備え、前記スマートデバイスには前記アプリケーションストアがインストールされ、前記アプリケーションストアは、前記スマートデバイスが前記アプリケーションのインストールパッケージをダウンロードするために用いられ、前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられる。
【００２０】
本発明の実施方式によれば、以下のような有益な効果が得られる。即ち、インストールする必要のあるアプリケーションを迅速かつ正確に取得でき、アプリケーションの識別子の類似性によるアプリケーションのインストールエラーを避け、アプリケーションのインストールの効率性と正確性を高める。
【００２１】
さらに、前記通信モジュールは、前記スマートデバイスの識別子を含む、前記スマートデバイスから送信された接続要求を受信するように構成される受信サブモジュールと、
前記スマートデバイスの識別子に基づいて、前記スマートデバイスとの通信接続を確立するように構成される通信サブモジュールと、を備える。
【００２２】
本発明の実施方式によれば、以下のような有益な効果が得られる。即ち、アプリケーションインストール装置とスマートデバイスとの間の通信接続を確立することができる。
【００２３】
本発明の実施例に係る第４態様によれば、スマートデバイスを提供する。
【００２４】
アプリケーションインストール装置との通信接続を確立するように構成される通信モジュールと、アプリケーションの識別子を含む、前記アプリケーションインストール装置が前記通信接続を通じて送信した制御命令を受信するように構成される受信モジュールと、前記アプリケーションの識別子に基づいて、前記アプリケーションを取得してインストールするように構成される処理モジュールと、を備える。
【００２５】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００２６】
さらに、前記制御命令は前記アプリケーションの識別子とアプリケーションストアの識別子を含み、前記アプリケーションインストール装置には前記アプリケーションストアがインストールされ、前記処理モジュールは、前記アプリケーションストアの識別子に基づいて前記アプリケーションストアを呼び出し、且つ前記アプリケーションの識別子に基づいて前記アプリケーションストアにおける検索を通じて前記アプリケーションを取得するように構成される検索サブモジュールと、前記アプリケーションをインストールするように構成されるインストールサブモジュールと、を備える。
【００２７】
本発明の実施方式によれば、以下のような有益な効果が得られる。即ち、インストールする必要のあるアプリケーションを迅速かつ正確に取得でき、アプリケーションの識別子の類似性によるアプリケーションのインストールエラーを避け、アプリケーションのインストールの正確性と柔軟性を高める。
【００２８】
さらに、前記通信モジュールは、前記アプリケーションインストール装置へスマートデバイスの識別子を含む接続要求を送信するように構成される送信サブモジュールを備え、前記接続要求は、前記アプリケーションインストール装置が前記スマートデバイスの識別子に基づいて前記スマートデバイスとの通信接続を確立するために用いられる。
【００２９】
本発明の実施方式によれば、以下のような有益な効果が得られる。即ち、アプリケーションインストール装置とスマートデバイスとの間の通信接続を確立することができる。
【００３０】
本発明の実施例に係る第５態様によれば、アプリケーションインストール装置を提供する。当該装置は、プロセッサと、プロセッサの実行可能な指令を記憶するためのメモリと、を備え、前記プロセッサは、スマートデバイスとの通信接続を確立し、前記通信接続を通じて前記スマートデバイスへアプリケーションの識別子を含む制御命令を送信するように構成され、前記制御命令は、前記スマートデバイスが前記アプリケーションの識別子に基づいて前記アプリケーションを取得してインストールするよう指示するために用いられる。
【００３１】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００３２】
本発明の実施例に係る第６態様によれば、スマートデバイスを提供する。前記スマートデバイスは、プロセッサと、プロセッサの実行可能な指令を記憶するためのメモリと、を備え、前記プロセッサは、アプリケーションインストール装置との通信接続を確立し、アプリケーションの識別子を含む、前記アプリケーションインストール装置が前記通信接続を通じて送信した制御命令を受信し、
前記アプリケーションの識別子に基づいて、前記アプリケーションを取得してインストールするように構成される。
【００３３】
本発明の実施例に係る第７態様によれば、プロセッサに実行されることにより、本発明の実施例に係る第１又は第２態様に記載の方法を実現するプログラムを提供する。
【００３４】
本発明の実施例に係る第８態様によれば、本発明の実施例に係る第７態様に記載のプログラムが記録された記録媒体を提供する。
【００３５】
本発明の実施方式によれば、以下のような有益な効果が得られる。即ち、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００３６】
なお、上述の一般的な記載及び後述の詳細な記載は、単なる例示的で解釈であり、本発明に対する限定として見なしてはいけない。
【図面の簡単な説明】
【００３７】
以下の図面は、明細書に組み込まれて本願明細書の一部分となり、本願発明に係る実施例を示し、且つ明細書とともに、本発明の原理の説明に用いられる。
【００３８】
【図１Ａ】図１Ａは、１つの例示的な実施例に係るアプリケーションインストール方法のフローチャートである。
【図１Ｂ】図１Ｂは、もう１つの例示的な実施例に係るアプリケーションインストール方法のフローチャートである。
【図２】図２は、もう１つの例示的な実施例に係るアプリケーションインストール方法のフローチャートである。
【図３Ａ】図３Ａは、１つの例示的な実施例に係るアプリケーションインストール方法のフローチャートである。
【図３Ｂ】図３Ｂは、もう１つの例示的な実施例に係るアプリケーションインストール方法のフローチャートである。
【図４】図４は、もう１つの例示的な実施例に係るアプリケーションインストール方法のフローチャートである。
【図５】図５は、１つの例示的な実施例に係るアプリケーションインストール方法のフローチャートである。
【図６Ａ】図６Ａは、１つの例示的な実施例に係るアプリケーションインストール装置の構成図である。
【図６Ｂ】図６Ｂは、もう１つの例示的な実施例に係るアプリケーションインストール装置の構成図である。
【図７】図７は、もう１つの例示的な実施例に係るスマートデバイスの構成図である。
【図８Ａ】図８Ａは、１つの例示的な実施例に係るスマートデバイスの構成図である。
【図８Ｂ】図８Ｂは、もう１つの例示的な実施例に係るスマートデバイスの構成図である。
【図９】図９は、もう１つの例示的な実施例に係るスマートデバイスの構成図である。
【図１０】図１０は、１つの例示的な実施例に係るアプリケーションインストール装置のブロック図である。
【図１１】図１１は、１つの例示的な実施例に係るスマートデバイスのブロック図である。
【図１２】図１２は、１つの例示的な実施例に係るアプリケーションインストール装置１２００のブロック図である。
【図１３】図１３は、１つの例示的な実施例に係るスマートデバイス１３００のブロック図である。
【００３９】
以上の図面は、明細書に組み込まれて本願明細書の一部分となり、本願発明に係る実施例を示し、且つ明細書とともに、本発明の原理の説明に用いられる。
【発明を実施するための形態】
【００４０】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００４１】
まず、本発明の実施例に言及されたいくつかの名詞について説明する。
【００４２】
スマートデバイスは、ユーザーとキーボード、タッチパッド、或いは音声制御装置を通じて人間と機械の相互作用を行う任意の実物の電子製品、例えば、スマートブレスレット、スマートフォン等であってもよいが、それらに限らない。当業者は、他のスマートデバイスが本発明に適用される場合、本発明の保護範囲に含まれるはずであると理解されるべきである。
【００４３】
図１Ａは、１つの例示的な実施例に係るアプリケーションインストール方法のフローチャートであり、図１Ａに示すように、本実施例は、当該アプリケーションインストール方法がアプリケーションインストール装置に適用される場合を例にして説明する。当該アプリケーションインストール方法は、以下のステップを含んでもよい。即ち、ステップ１０１において、スマートデバイスとの通信接続を確立する。
【００４４】
ここで、通信接続の方式は、例えば、ＷｉＦｉ（Ｗｉｒｅｌｅｓｓ−Ｆｉｄｅｌｉｔｙ）、第３世代移動通信システム（３Gと略称する）、第４世代移動通信システム（４Gと略称する）、ブルートゥース（登録商標）接続等、複数であってもよい。
【００４５】
具体的に、ステップ１０１乃至ステップ１０２の実行主体はアプリケーションインストール装置であってもよく、当該アプリケーションインストール装置は、スマートデバイスに設けられてもよい。実際の応用場面を例にして説明し、当該場面は、アプリケーションの遠隔インストールの場面に関わっている。即ち、様々な実際の場面では、例えば、遠く離れたり、スマートデバイスの使い方に慣れていなかったり、或いはスマートデバイスそれ自身がユーザーにとって操作が難しかったりする等の場面では、ユーザーが、上述に示した、操作しにくいスマートデバイスにあるアプリケーションをインストールする必要がある場合、本発明に基づいて、ユーザーにとって操作しやすいアプリケーションインストール装置を予め用意し、当該装置は、アプリケーションインストール装置、例えば、ユーザーの手元に使い慣れたスマートフォンに設けられてもよく、アプリケーションインストール装置とスマートデバイスとの間の通信接続を確立することにより、後発の発明を実現する。
【００４６】
図１Ｂは、もう１つの例示的な実施例に係るアプリケーションインストール方法のフローチャートである。具体的に、通信接続を確立する過程、つまり、図１Ａに示すステップ１０１は、以下のステップを含んでもよい。即ち、図１Ｂに示すように、ステップ１０３において、前記スマートデバイスの識別子を含む、前記スマートデバイスから送信された接続要求を受信する。
【００４７】
ステップ１０４において、前記スマートデバイスの識別子に基づいて、前記スマートデバイスとの通信接続を確立する。
【００４８】
上述の実施方式によれば、スマートデバイスとの通信接続を確立することができる。具体的な発明は、実際の状況に応じて判定してもよく、本実施例ではこれに対して限定しない。ここで、スマートデバイスの識別子は、国際移動体装置識別番号（ＩＭＥＩと略称する）、スマートデバイスに対応する携帯電話番号、物理NIC番号、スマートデバイスに対応するシステムアカウント等であってもよいが、それらに限らない。当該スマートデバイスを唯一的に表現できる識別子であればよい。具体的に、スマートデバイスの識別子は、ユーザーによって手操作入力により取得されてもよいし、ユーザーのアドレスブックを呼び出すことにより取得されてもよい。その具体的な実現方式は複数であってもよい。
【００４９】
実際の応用において、同時に複数台のスマートデバイスとの通信接続を確立してもよく、つまり、スマートデバイスの数は少なくとも１つ以上であってもよい。
【００５０】
ステップ１０２において、通信接続を通じてスマートデバイスへアプリケーションの識別子を含む制御命令を送信し、制御命令は、スマートデバイスにアプリケーションの識別子に基づいて、アプリケーションを取得してインストールするよう指示するために用いられる。
【００５１】
ここで、スマートデバイスは、任意の方式で第１のアプリケーションを取得してもよく、例えば、検索エンジンにより検索するか、又はスマートデバイスにインストールされたアプリケーションストア、例えば、ＡＰＰストア、 Ａｎｄｒｏｉｄ（登録商標）アプリストア等により検索してもよい。
【００５２】
前述の実際の応用場面を例にして説明する。
【００５３】
アプリケーションインストール装置とスマートデバイスとの間の通信接続が確立された後、ユーザーは、確立された通信接続を通じてアプリケーションインストール装置を容易に制御することができ、スマートデバイスに制御命令を送信し、当該制御命令は、ユーザーのスマートデバイスにインストール希望のアプリケーションの識別子を含んでいる。相応に、スマートデバイスは、制御命令を受信した後、その中の識別子に基づいて相応のアプリケーションを取得してインストールすることができる。
【００５４】
具体的に、ユーザーが、アプリケーションインストール装置の相互作用インターフェースによって自分のスマートデバイスにインストール希望のアプリケーションの識別子を入力することにより、アプリケーションインストール装置が識別子をスマートデバイスに送信するようにする。
【００５５】
また、ユーザーの操作をさらに簡単とし、アプリケーションインストールの利便性を向上させるために、実際の応用において、各アプリケーションに対して相応のファーストプッシュメニュー（ｆａｓｔ ｐｕｓｈ ｍｅｎｕ）を作成してもよく、ユーザーが、あるアプリケーションをスマートデバイスにインストールしようとする際に、当該アプリケーションに対応するファーストプッシュメニュー（ｆａｓｔ ｐｕｓｈ ｍｅｎｕ）において「アプリケーションをスマートデバイスにインストール」を選択すれば、アプリケーションインストール装置は、スマートデバイスに相応の制御命令を送信し、遠隔でアプリケーションインストールを実現する。
【００５６】
要するに、本実施例により提供されるアプリケーションインストール方法によれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００５７】
図２は、もう１つの例示的な実施例に係るアプリケーションインストール方法のフローチャートであり、図２に示すように、前述の何れか一つの実施方式に基づいて、ステップ１０２は、以下のステップを含んでもよい。即ち、ステップ２０１において、アプリケーションストアの識別子を取得し、前記スマートデバイスには前記アプリケーションストアがインストールされ、前記アプリケーションストアは、前記スマートデバイスが前記アプリケーションのインストールパッケージをダウンロードするために用いられる。
【００５８】
ステップ２０２において、前記通信接続を通じて前記スマートデバイスへ前記アプリケーションの識別子と前記アプリケーションストアの識別子とを含む制御命令を送信し、前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられる。
【００５９】
ここで、アプリケーションストアの慣用名はＡＰＰストアであり、特に移動機器である携帯電話、タブレットPC等のスマートデバイスにアプリケーションダウンロードサービスを提供するための電子アプリケーションストアである。
【００６０】
実際の応用場面を例にして説明し、当該場面は、アプリケーションの遠隔インストールの場面に関わっている。即ち、ユーザーが、操作しにくいスマートデバイスにあるアプリケーションをインストールする必要がある場合、本発明に基づいて、ユーザーにとって操作しやすいアプリケーションインストール装置、例えば、ユーザーの手元に使い慣れたスマートフォンを予め用意し、アプリケーションインストール装置とスマートデバイスとの間の通信接続を確立してもよい。通信接続が確立された後、アプリケーションインストール装置は、自機にインストールされたアプリケーションストアとスマートデバイスにインストールされたアプリケーションストアに基づいて、両方がともにインストールされたアプリケーションストアを取得する。アプリケーションインストール装置は、確立された通信接続を通じてスマートデバイスに制御命令を送信し、当該制御命令は、ユーザーのスマートデバイスにインストール希望のアプリケーションの識別子とアプリケーションストアの識別子を含んでいる。相応に、スマートデバイスは、制御命令を受信した後、相応のアプリケーションストアを開いて、その中から相応のアプリケーションを取得するとともに、当該アプリケーションをインストールする。
【００６１】
具体的に、本発明において、スマートデバイスに、インストールする必要のあるアプリケーションの識別子の他に、さらに、当該アプリケーションの取得方法、即ち、２台のスマートデバイスの両方がともにインストールされたアプリケーションストアを開いて、アプリケーションストアから相応のアプリケーションを取得する方法も報知する。それゆえ、スマートデバイスにインストールする必要のあるアプリケーションを迅速かつ正確に取得でき、アプリケーションの識別子の類似性によるアプリケーションのインストールエラーを避け、アプリケーションのインストールの効率性と正確性を高める。
【００６２】
要するに、本実施例により提供されるアプリケーションインストール方法によれば、ユーザーが、スマートデバイスにアプリケーションをインストールしようとする際に、アプリケーションインストール装置とスマートデバイスとの間の通信接続を確立し、アプリケーションインストール装置を通じてスマートデバイスに制御命令を送信し、当該制御命令は、インストールする必要のあるアプリケーションと当該アプリケーションを取得するためのアプリケーションストアの識別子を含み、スマートデバイスは、制御命令に基づいて相応のアプリケーションストアを開いて、当該アプリケーションストアから当該アプリケーションを取得し、アプリケーションのインストールを完了する。上述の発明によれば、インストールする必要のあるアプリケーションを迅速かつ正確に取得でき、アプリケーションの識別子の類似性によるアプリケーションのインストールエラーを避け、アプリケーションのインストールの効率性と正確性を高める。
【００６３】
図３Ａは、１つの例示的な実施例に係るアプリケーションインストール方法のフローチャートであり、図３Ａに示すように、本実施例は、当該アプリケーションインストール方法がスマートデバイスに適用される場合を例にして説明する。当該アプリケーションインストール方法は、以下のステップを含んでもよい。即ち、ステップ３０１において、アプリケーションインストール装置との通信接続を確立する。
【００６４】
図３Ｂは、もう１つの例示的な実施例に係るアプリケーションインストール方法のフローチャートである。具体的に、通信接続を確立する過程、つまり、図３Ａに示すステップ３０１は、以下のステップを含んでもよい。即ち、図３Ｂに示すように、ステップ３０４において、アプリケーションインストール装置へスマートデバイスの識別子を含む接続要求を送信し、接続要求は、アプリケーションインストール装置がスマートデバイスの識別子に基づいてスマートデバイスとの通信接続を確立するために用いられる。
【００６５】
上述の実施方式によれば、スマートデバイスとの通信接続を確立することができる。具体的な発明は、実際の状況に応じて判定してもよく、本実施例ではこれに対して限定しない。ここで、スマートデバイスの識別子は、国際移動体装置識別番号（ＩＭＥＩと略称する）、スマートデバイスに対応する携帯電話番号、物理NIC番号、スマートデバイスに対応するシステムアカウント等であってもよいが、それらに限らない。
【００６６】
ステップ３０２において、アプリケーションの識別子を含む、アプリケーションインストール装置が通信接続を通じて送信した制御命令を受信する。
【００６７】
ステップ３０３において、アプリケーションの識別子に基づいて、アプリケーションを取得してインストールする。
【００６８】
実際の応用において、アプリケーションインストール装置は他のスマートデバイスに遠隔でアプリケーションをインストールできるのみならず、他のスマートデバイスも同じように、当該アプリケーションインストール装置に遠隔でアプリケーションをインストールでき、即ち、通信接続を確立されたスマートデバイスの間には、互いに遠隔でアプリケーションをインストールしあうことを実現できる。
【００６９】
具体的に、ステップ３０１-３０３の実行主体はスマートデバイスであってもよく、実際の応用場面を例にして説明し、当該場面は、アプリケーションの遠隔インストールの場面に関わっている。即ち、アプリケーションインストール装置にあるアプリケーションをインストールする必要がある場合、本発明に基づいて、アプリケーションインストール装置とスマートデバイスとの間の通信接続を確立してもよい。通信接続が確立された後、ユーザーは、確立された通信接続を通じてアプリケーションインストール装置を容易に制御することができ、スマートデバイスに制御命令を送信し、当該制御命令は、ユーザーのスマートデバイスにインストール希望のアプリケーションの識別子を含んでいる。相応に、スマートデバイスは、制御命令を受信した後、その中の識別子に基づいて相応のアプリケーションを取得してインストールすることができる。
【００７０】
要するに、本実施例により提供されるアプリケーションインストール方法によれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００７１】
図４は、もう１つの例示的な実施例に係るアプリケーションインストール方法のフローチャートであり、図４に示すように、前述の何れか一つの実施方式に基づいて、制御命令はアプリケーションの識別子とアプリケーションストアの識別子を含み、アプリケーションインストールにはアプリケーションストアがインストールされている。
【００７２】
相応に、ステップ３０３は、以下のステップを含んでもよい。即ち、ステップ４０１において、アプリケーションストアの識別子に基づいてアプリケーションストアを呼び出し、且つアプリケーションの識別子に基づいてアプリケーションストアにおける検索を通じてアプリケーションを取得してインストールする。
【００７３】
ここで、アプリケーションストアは、特に移動機器である携帯電話、タブレットPC等のスマートデバイスにアプリケーションダウンロードサービスを提供するための電子アプリケーションストアである。
【００７４】
実際の応用場面を例にして説明し、当該場面は、アプリケーションの遠隔インストールの場面に関わっている。即ち、ユーザーが、スマートデバイスにあるアプリケーションをインストールする必要がある場合、本発明に基づいて、１台のアプリケーションインストール装置を予め用意し、アプリケーションインストール装置とスマートデバイスとの間の通信接続を確立してもよい。通信接続が確立された後、アプリケーションインストール装置は、自機にインストールされたアプリケーションストアとスマートデバイスにインストールされたアプリケーションストアに基づいて、両方がともにインストールされたアプリケーションストアを取得する。アプリケーションインストール装置は、確立された通信接続を通じてスマートデバイスに制御命令を送信し、当該制御命令は、ユーザーのスマートデバイスにインストール希望のアプリケーションの識別子とアプリケーションストアの識別子を含んでいる。相応に、スマートデバイスは、制御命令を受信した後、相応のアプリケーションストアを開いて、その中から相応のアプリケーションを取得するとともに、当該アプリケーションをインストールする。
【００７５】
具体的に、本発明において、アプリケーションインストール装置によって受信された制御命令には、インストールする必要のあるアプリケーションの識別子の他に、当該アプリケーションの取得方法、即ち、２台のスマートデバイスの両方がともにインストールされたアプリケーションストアを開いて、当該アプリケーションストアから相応のアプリケーションを取得する方法も含まれている。それゆえ、アプリケーションインストール装置はインストールする必要のあるアプリケーションを迅速かつ正確に取得でき、アプリケーションの識別子の類似性によるアプリケーションのインストールエラーを避け、アプリケーションのインストールの効率性と正確性を高める。
【００７６】
要するに、本実施例により提供されるアプリケーションインストール方法によれば、ユーザーが、スマートデバイスにアプリケーションをインストールしようとする際に、アプリケーションインストール装置とスマートデバイスとの間の通信接続を確立し、アプリケーションインストール装置を通じてスマートデバイスに制御命令を送信し、当該制御命令は、インストールする必要のあるアプリケーションと当該アプリケーションを取得するためのアプリケーションストアの識別子を含み、スマートデバイスは、制御命令に基づいて相応のアプリケーションストアを開いて、当該アプリケーションストアから当該アプリケーションを取得し、アプリケーションのインストールを完了する。上述の発明によれば、インストールする必要のあるアプリケーションを迅速かつ正確に取得でき、アプリケーションの識別子の類似性によるアプリケーションのインストールエラーを避け、アプリケーションのインストールの効率性と正確性を高める。
【００７７】
図５は、１つの例示的な実施例に係るアプリケーションインストール方法のフローチャートであり、図５に示すように、本実施例は、当該アプリケーションインストール方法がアプリケーションインストール装置とスマートデバイスに適用される場合を例にして説明する。当該アプリケーションインストール方法は、以下のステップを含んでもよい。即ち、ステップ５０１において、スマートデバイスは、アプリケーションインストール装置に接続要求を送信する。
【００７８】
ステップ５０２において、アプリケーションインストール装置は、接続要求に基づいてスマートデバイスとの通信接続を確立する。
【００７９】
ステップ５０３において、アプリケーションインストール装置は、通信接続を通じて、スマートデバイスへアプリケーションの識別子を含む制御命令を送信する。
【００８０】
ステップ５０４において、スマートデバイスアプリケーションの識別子に基づいて、アプリケーションを取得してインストールする。
【００８１】
要するに、本実施例により提供されるアプリケーションインストール方法によれば、ユーザーが、スマートデバイスにアプリケーションをインストールしようとする際に、１台のアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００８２】
以上では、アプリケーションインストール方法の実現過程について説明し、当該過程は、スマートデバイスの相互作用により実現できる。以下、スマートデバイスの内部機能と構成について説明する。
【００８３】
図６Ａは、１つの例示的な実施例に係るアプリケーションインストール装置の構成図であり、図６Ａに示すように、当該スマートデバイスは、スマートデバイスとの通信接続を確立するように構成される通信モジュール６１と、通信接続を通じて、スマートデバイスへアプリケーションの識別子を含む制御命令を送信するように構成される送信モジュール６２と、を備え、制御命令は、スマートデバイスがアプリケーションの識別子に基づいてアプリケーションを取得してインストールするよう指示するために用いられる。
【００８４】
ここで、通信接続の方式は、例えば、ＷｉＦｉ（Ｗｉｒｅｌｅｓｓ−Ｆｉｄｅｌｉｔｙ）、第３世代移動通信システム（３Gと略称する）、第４世代移動通信システム（４Gと略称する）、ブルートゥース接続等、複数であってもよい。
【００８５】
具体的に、当該アプリケーションインストール装置は、スマートデバイスに設けられてもよい。実際の応用場面を例にして説明し、当該場面は、アプリケーションの遠隔インストールの場面に関わっている。即ち、通信モジュール６１は、アプリケーションインストール装置とスマートデバイスとの間の通信接続を確立する。通信モジュール６１によってアプリケーションインストール装置とスマートデバイスとの間の通信接続が確立された後、送信モジュール６２は、確立された通信接続を通じてスマートデバイスに制御命令を送信し、当該制御命令は、ユーザーのスマートデバイスにインストール希望のアプリケーションの識別子を含んでいる。相応に、スマートデバイスは、制御命令を受信した後、その中の識別子に基づいて相応のアプリケーションを取得してインストールすることができる。
【００８６】
図６Ｂは、図６Ａに示す通信接続を確立する過程に関する、もう１つの例示的な実施例に係るスマートデバイスの構成図である。具体的には、図６Ｂに示すように、通信モジュール６１は、前記スマートデバイスの識別子を含む、前記スマートデバイスから送信された接続要求を受信するように構成される受信サブモジュール６１１と、前記スマートデバイスの識別子に基づいて、前記スマートデバイスとの通信接続を確立するように構成される通信サブモジュール６１２と、を備える。
【００８７】
上述の実施方式によれば、スマートデバイスとの通信接続を確立することができる。具体的な発明は、実際の状況に応じて判定してもよく、本実施例ではこれに対して限定しない。ここで、スマートデバイスの識別子は、国際移動体装置識別番号（ＩＭＥＩと略称する）、スマートデバイスに対応する携帯電話番号、物理NIC番号、スマートデバイスに対応するシステムアカウント等であってもよいが、それらに限らない。
【００８８】
実際の応用において、同時に複数台のスマートデバイスとの通信接続を確立してもよく、つまり、スマートデバイスの数は少なくとも１つ以上であってもよい。
【００８９】
ここで、スマートデバイスは、任意の方式で第１のアプリケーションを取得してもよく、例えば、検索エンジンにより検索するか、又はスマートデバイスにインストールされたアプリケーションストア、例えば、ＡＰＰストア、Ａｎｄｒｏｉｄ（登録商標）アプリストア等により検索してもよい。
【００９０】
具体的に、ユーザーが、アプリケーションインストール装置の相互作用インターフェースによって自分のスマートデバイスにインストール希望のアプリケーションの識別子を入力することにより、アプリケーションインストール装置が識別子をスマートデバイスに送信するようにする。
【００９１】
また、ユーザーの操作をさらに簡単とし、アプリケーションインストールの利便性を向上させるために、実際の応用において、各アプリケーションに対して相応のファーストプッシュメニュー（ｆａｓｔ ｐｕｓｈ ｍｅｎｕ）を作成してもよく、ユーザーが、あるアプリケーションをスマートデバイスにインストールしようとする際に、当該アプリケーションに対応するファーストプッシュメニュー（ｆａｓｔ ｐｕｓｈ ｍｅｎｕ）において「アプリケーションをスマートデバイスにインストール」を選択すれば、第１のスマート端末を制御してスマートデバイスに相応の制御命令を送信し、遠隔でアプリケーションインストールを実現する。
【００９２】
要するに、本実施例により提供されるスマートデバイスによれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【００９３】
図７は、もう１つの例示的な実施例に係るスマートデバイスの構成図であり、図７に示すように、前述の何れか一つの実施方式に基づいて、送信モジュール６２は、アプリケーションストアの識別子を取得するように構成される取得サブモジュール６２１と、前記通信接続を通じて前記スマートデバイスへ前記アプリケーションの識別子と前記アプリケーションストアの識別子とを含む制御命令を送信するように構成される送信サブモジュール６２２と、を備え、前記スマートデバイスには前記アプリケーションストアがインストールされ、前記アプリケーションストアは、前記スマートデバイスが前記アプリケーションのインストールパッケージをダウンロードするために用いられ、前記制御命令は、前記スマートデバイスが前記アプリケーションストアの識別子に基づいて前記アプリケーションストアを呼び出し、且つ前記アプリケーションの識別子に基づいて前記アプリケーションストアにおける検索を通じて前記アプリケーションを取得してインストールするよう指示するために用いられる。
【００９４】
ここで、アプリケーションストアは、特に移動機器である携帯電話、タブレットPC等のスマートデバイスにアプリケーションダウンロードサービスを提供するための電子アプリケーションストアである。
【００９５】
実際の応用場面を例にして説明し、当該場面は、アプリケーションの遠隔インストールの場面に関わっている。即ち、通信モジュール６１は、スマートデバイスとの間の通信接続を確立する。通信モジュール６１によって通信接続が確立された後、取得サブモジュール６２１は、アプリケーションインストール装置にインストールされたアプリケーションストアとスマートデバイスにインストールされたアプリケーションストアに基づいて、両方がともにインストールされたアプリケーションストアを取得する。送信サブモジュール６２２は、確立された通信接続を通じてスマートデバイスに制御命令を送信し、当該制御命令は、ユーザーのスマートデバイスにインストール希望のアプリケーションの識別子とアプリケーションストアの識別子を含んでいる。相応に、スマートデバイスは、制御命令を受信した後、相応のアプリケーションストアを開いて、その中から相応のアプリケーションを取得するとともに、当該アプリケーションをインストールする。
【００９６】
具体的に、本発明において、送信サブモジュール６２２は、スマートデバイスに、インストールする必要のあるアプリケーションの識別子の他に、さらに、当該アプリケーションの取得方法、即ち、２台のスマートデバイスの両方がともにインストールされたアプリケーションストアを開いて、アプリケーションストアから相応のアプリケーションを取得する方法も送信する。それゆえ、スマートデバイスインストールする必要のあるアプリケーションを迅速かつ正確に取得でき、アプリケーションの識別子の類似性によるアプリケーションのインストールエラーを避け、アプリケーションのインストールの効率性と正確性を高める。
【００９７】
要するに、本実施例により提供されるスマートデバイスによれば、ユーザーが、スマートデバイスにアプリケーションをインストールしようとする際に、アプリケーションインストール装置とスマートデバイスとの間の通信接続を確立し、アプリケーションインストール装置を通じてスマートデバイスに制御命令を送信し、当該制御命令は、インストールする必要のあるアプリケーションと当該アプリケーションを取得するためのアプリケーションストアの識別子を含み、スマートデバイスは、制御命令に基づいて相応のアプリケーションストアを開いて、当該アプリケーションストアから当該アプリケーションを取得し、アプリケーションのインストールを完了する。上述の発明によれば、インストールする必要のあるアプリケーションを迅速かつ正確に取得でき、アプリケーションの識別子の類似性によるアプリケーションのインストールエラーを避け、アプリケーションのインストールの効率性と正確性を高める。
【００９８】
図８Ａは、１つの例示的な実施例に係るスマートデバイスの構成図であり、図８Ａに示すように、スマートデバイスは、アプリケーションインストール装置との通信接続を確立するように構成される通信モジュール８１を備える。
【００９９】
図８Ｂは、図８Ａに示す通信接続を確立する過程に関する、もう１つの例示的な実施例に係るスマートデバイスの構成図である。具体的には、図８Ｂに示すように、通信モジュール８１は、アプリケーションインストール装置へスマートデバイスの識別子を含む接続要求を送信するように構成される送信サブモジュール８１１を備えてもよく、接続要求は、アプリケーションインストール装置がスマートデバイスの識別子に基づいてスマートデバイスとの通信接続を確立するために用いられる。
【０１００】
上述の実施方式によれば、スマートデバイスとの通信接続を確立することができる。具体的な発明は、実際の状況に応じて判定してもよく、本実施例ではこれに対して限定しない。ここで、スマートデバイスの識別子は、国際移動体装置識別番号（ＩＭＥＩと略称する）、スマートデバイスに対応する携帯電話番号、物理NIC番号、スマートデバイスに対応するシステムアカウント等であってもよいが、それらに限らない。
【０１０１】
受信モジュール８２は、アプリケーションの識別子を含む、前記アプリケーションインストール装置が前記通信接続を通じて送信した制御命令を受信するように構成され、
処理モジュール８３は、前記アプリケーションの識別子に基づいて、前記アプリケーションを取得してインストールするように構成される。
【０１０２】
実際の応用場面を例にして説明し、当該場面は、アプリケーションの遠隔インストールの場面に関わっている。即ち、あるスマートデバイスにあるアプリケーションをインストールする必要がある場合、本発明に基づいて、当該スマートデバイスの通信モジュール８１は、アプリケーションインストール装置との間の通信接続を確立してもよい。通信接続が確立された後、ユーザーが、アプリケーションインストール装置を操作することで、確立された通信接続を通じて当該スマートデバイスに制御命令を送信し、当該制御命令は、ユーザーの当該スマートデバイスにインストール希望のアプリケーションの識別子を含んでいる。相応に、受信モジュール８２によって制御命令が受信された後、処理モジュール８３は、相応のアプリケーションを取得してインストールする。
【０１０３】
要するに、本実施例により提供されるスマートデバイスによれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【０１０４】
図９は、もう１つの例示的な実施例に係るスマートデバイスの構成図であり、図９に示すように、前述の何れか一つの実施方式に基づいて、前記制御命令は前記アプリケーションの識別子とアプリケーションストアの識別子を含み、前記アプリケーションインストール装置には前記アプリケーションストアがインストールされ、相応に、処理モジュール８３は、アプリケーションストアの識別子に基づいてアプリケーションストアを呼び出し、且つアプリケーションの識別子に基づいてアプリケーションストアにおける検索を通じてアプリケーションを取得するように構成される検索サブモジュール８３１と、アプリケーションをインストールするように構成されるインストールサブモジュール８３２と、を備える。
【０１０５】
ここで、アプリケーションストアは、特に移動機器である携帯電話、タブレットPC等のスマートデバイスにアプリケーションダウンロードサービスを提供するための電子アプリケーションストアである。
【０１０６】
実際の応用場面を例にして説明し、当該場面は、アプリケーションの遠隔インストールの場面に関わっている。即ち、ユーザーが、あるスマートデバイスにあるアプリケーションをインストールする必要がある場合、本発明に基づいて、当該スマートデバイスの通信モジュール８１は、アプリケーションインストール装置との間の通信接続を確立してもよい。通信接続が確立された後、アプリケーションインストール装置は、自機にインストールされたアプリケーションストアと当該スマートデバイスにインストールされたアプリケーションストアに基づいて、２台のスマートデバイスの両方がともにインストールされたアプリケーションストアを取得する。アプリケーションインストール装置は、確立された通信接続を通じて受信モジュール８２に制御命令を送信し、当該制御命令は、ユーザーのスマートデバイスにインストール希望のアプリケーションの識別子とアプリケーションストアの識別子を含んでいる。相応に、受信モジュール８２によって制御命令が受信された後、検索サブモジュール８３１は、相応のアプリケーションストアを開いて、その中から相応のアプリケーションを取得し、インストールサブモジュール８３２が、当該アプリケーションをインストールする。
【０１０７】
要するに、本実施例により提供されるスマートデバイスによれば、ユーザーが、スマートデバイスにアプリケーションをインストールしようとする際に、アプリケーションインストール装置とスマートデバイスとの間の通信接続を確立し、アプリケーションインストール装置を通じてスマートデバイスに制御命令を送信し、当該制御命令は、インストールする必要のあるアプリケーションと当該アプリケーションを取得するためのアプリケーションストアの識別子を含み、スマートデバイスは、制御命令に基づいて相応のアプリケーションストアを開いて、当該アプリケーションストアから当該アプリケーションを取得し、アプリケーションのインストールを完了する。上述の発明によれば、インストールする必要のあるアプリケーションを迅速かつ正確に取得でき、アプリケーションの識別子の類似性によるアプリケーションのインストールエラーを避け、アプリケーションのインストールの効率性と正確性を高める。
【０１０８】
以上では、アプリケーションインストール装置及びスマートデバイスの内部機能と構成について説明した。
【０１０９】
図１０に示すように、図１０は、１つの例示的な実施例に係るアプリケーションインストール装置のブロック図であり、図１０に示すように、当該アプリケーションインストール装置は、プロセッサと、プロセッサの実行可能な指令を記憶するためのメモリと、を備え、前記プロセッサは、スマートデバイスとの通信接続を確立し、前記通信接続を通じて前記スマートデバイスへアプリケーションの識別子を含む制御命令を送信するように構成されてもよく、前記制御命令は、前記スマートデバイスが前記アプリケーションの識別子に基づいて前記アプリケーションを取得してインストールするよう指示するために用いられる。
【０１１０】
本実施例により提供されるアプリケーションインストール装置によれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【０１１１】
図１１は、１つの例示的な実施例に係るスマートデバイスのブロック図である。図１１に示すように、当該スマートデバイスは、プロセッサと、プロセッサの実行可能な指令を記憶するためのメモリと、を備え、前記プロセッサは、アプリケーションインストール装置との通信接続を確立し、アプリケーションの識別子を含む、前記アプリケーションインストール装置が前記通信接続を通じて送信した制御命令を受信し、前記アプリケーションの識別子に基づいて、前記アプリケーションを取得してインストールするように構成されてもよい。
【０１１２】
本実施例により提供されるスマートデバイスによれば、ユーザーが、直接操作の難しいスマートデバイスにアプリケーションをインストールしようとする際に、ユーザーにとって操作しやすいアプリケーションインストール装置を予め用意し、アプリケーションインストール装置とスマートデバイスとの間の通信接続を確立し、ユーザーがアプリケーションインストール装置を通じてスマートデバイスに制御命令を送信し、当該制御命令は、ユーザーのスマートデバイスにインストール希望のアプリケーションを含み、スマートデバイスは、制御命令に基づいて当該アプリケーションに対するインストールを完了することができる。ここで、アプリケーションインストール装置は、スマートデバイスに設けられてもよい。上述の発明によれば、ユーザーが任意のスマートデバイスを利用すれば、他のスマートデバイスに遠隔でアプリケーションをインストールすることができる。つまり、ユーザーは、操作しやすいスマートデバイスが手元にあれば、いつでもどこでも、他の任意のスマートデバイスにインストール希望のアプリケーションを容易にインストールできる。
【０１１３】
図１２は、１つの例示的な実施例に係るアプリケーションインストール装置１２００のブロック図であり、当該アプリケーションインストール装置はスマートデバイスに設けられてもよい。例えば、アプリケーションインストール装置１２００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１１４】
図１２を参照して、アプリケーションインストール装置１２００は、処理アセンブリ１２０２、メモリ１２０４、電源アセンブリ１２０６、マルチメディアアセンブリ１２０８、オーディオアセンブリ１２１０、入力／出力（Ｉ／Ｏ）インターフェース１２１２、センサアセンブリ１２１４及び通信アセンブリ１２１６からなる群から選ばれる少なくとも１つを備えてもよい。
【０１１５】
処理アセンブリ１２０２は、一般的には、アプリケーションインストール装置１２００の全体の操作、例えば、表示、電話呼び出し、データ通信、カメラ操作及び記録操作に関連する操作を制御する。処理アセンブリ１２０２は、上述の方法におけるステップの一部又は全部を実現できるように、指令を実行する少なくとも１つのプロセッサ１２２０を備えてもよい。なお、処理アセンブリ１２０２は、他のアセンブリとのインタラクションの便宜上、少なくとも１つのモジュールを備えてもよい。例えば、処理アセンブリ１２０２は、マルチメディアアセンブリ１２０８とのインタラクションの利便性を図るために、マルチメディアモジュールを備えてもよい。
【０１１６】
メモリ１２０４は、アプリケーションインストール装置１２００における操作を支援するための、各種のデータを記憶するように構成される。これらのデータの例として、アプリケーションインストール装置１２００において操作される何れのアプリケーション又は方法に関する指令、連絡先データ、電話帳データ、メッセージ、画像、ビデオ等を含む。メモリ１２０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１１７】
電源アセンブリ１２０６は、アプリケーションインストール装置１２００の各種アセンブリに電力を供給するためのものであり、電源管理システム、１つ又は複数の電源、及びアプリケーションインストール装置１２００のために電力を生成、管理及び分配することに関連のある他のアセンブリを備えてもよい。
【０１１８】
マルチメディアアセンブリ１２０８は、前記アプリケーションインストール装置１２００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ１２０８は、フロントカメラ及び／又はバックカメラを備えてもよい。アプリケーションインストール装置１２００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１１９】
オーディオアセンブリ１２１０は、オーディオ信号を出力及び／又は入力するように構成される。例えば、オーディオアセンブリ１２１０は、マイクロフォン（ＭＩＣ）を有してもよい。アプリケーションインストール装置１２００が、例えば呼び出しモード、記録モード又は音声認識モードのような操作モードにある場合、マイクロフォンは外部のオーディオ信号を受信するように構成される。受信されたオーディオ信号は、メモリ１２０４に記憶されてもよく、通信アセンブリ１２１６を介して送信されてもよい。何れかの実施例において、オーディオアセンブリ１２１０は、オーディオ信号を出力するためのスピーカをさらに備えてもよい。
【０１２０】
Ｉ／Ｏインターフェース１２１２は、処理アセンブリ１２０２と周辺インターフェースモジュールとの間にインターフェースを提供するために用いられる。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１２１】
センサアセンブリ１２１４は、アプリケーションインストール装置１２００のために各方面の状態評価を提供するための少なくとも１つのセンサを備えてもよい。例えば、センサアセンブリ１２１４は、アプリケーションインストール装置１２００のオン／オフ状態や、アセンブリの相対的な位置を検出することができる。例えば、前記アセンブリがアプリケーションインストール装置１２００のディスプレイ及びキーパッドである場合、センサアセンブリ１２１４は、アプリケーションインストール装置１２００又はアプリケーションインストール装置１２００の１つのアセンブリの位置の変化や、ユーザとアプリケーションインストール装置１２００との接触の有無や、アプリケーションインストール装置１２００の方位又は加速／減速や、アプリケーションインストール装置１２００の温度変化を検出することができる。センサアセンブリ１２１４は、何れの物理的接触もない状況にて付近の物体の有無を検出できるように構成される近接センサを含んでもよい。センサアセンブリ１２１４は、さらに、画像表示技術分野に用いられる光センサ、例えばＣＭＯＳ又はＣＣＤ画像センサを含んでもよい。何れかの実施例において、当該センサアセンブリ１２１４は、さらに、加速度センサ、ジャイロスコープセンサ、磁気センサ、圧力センサ又は温度センサを含んでもよい。
【０１２２】
通信アセンブリ１２１６は、アプリケーションインストール装置１２００と他の設備との間の無線又は有線通信が便利になるように構成される。アプリケーションインストール装置１２００は、通信標準に基づく無線ネットワーク、例えばＷｉＦｉ、２Ｇ又は３Ｇ、又はそれらの組み合わせにアクセスできる。１つの例示的な実施例において、通信アセンブリ１２１６は、ブロードキャストチャンネルを介して外部のブロードキャスト管理システムからのブロードキャスト信号又はブロードキャストに関する情報を受信することができる。１つの例示的な実施例において、前記通信アセンブリ１２１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１２３】
例示的な実施例において、アプリケーションインストール装置１２００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１２４】
例示的な実施例において、さらに、アプリケーションインストール装置１２００のプロセッサ１２２０により実行されることにより上述の方法を実現可能な指令が記憶され、且つコンピュータに読み取り可能な不揮発性の記録媒体、例えば指令が記憶されているメモリ１２０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１２５】
コンピュータに読み取り可能な不揮発性の記録媒体であって、アプリケーションインストール装置のプロセッサが前記記録媒体中の指令を実行することにより、アプリケーションインストール装置にアプリケーションインストール方法を実行させ、前記方法は、スマートデバイスとの通信接続を確立するステップと、前記通信接続を通じて前記スマートデバイスに、アプリケーションの識別子を含み、且つ前記スマートデバイスが前記アプリケーションの識別子に基づいて前記アプリケーションを取得してインストールするよう指示するための制御命令を送信するステップと、を含む記録媒体を提供する。
【０１２６】
図１３は、１つの例示的な実施例に係るスマートデバイス１３００のブロック図である。例えば、スマートデバイス１３００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１２７】
図１３を参照して、スマートデバイス１３００は、処理アセンブリ１３０２、メモリ１３０４、電源アセンブリ１３０６、マルチメディアアセンブリ１３０８、オーディオアセンブリ１３１０、入力／出力（Ｉ／Ｏ）インターフェース１３１２、センサアセンブリ１３１４及び通信アセンブリ１３１６からなる群から選ばれる少なくとも１つを備えてもよい。
【０１２８】
処理アセンブリ１３０２は、一般的には、スマートデバイス１３００の全体の操作、例えば、表示、電話呼び出し、データ通信、カメラ操作及び記録操作に関連する操作を制御する。処理アセンブリ１３０２は、上述の方法におけるステップの一部又は全部を実現できるように、指令を実行する少なくとも１つのプロセッサ１３２０を備えてもよい。なお、処理アセンブリ１３０２は、他のアセンブリとのインタラクションの便宜上、少なくとも１つのモジュールを備えてもよい。例えば、処理アセンブリ１３０２は、マルチメディアアセンブリ１３０８とのインタラクションの利便性を図るために、マルチメディアモジュールを備えてもよい。
【０１２９】
メモリ１３０４は、スマートデバイス１３００における操作を支援するための、各種のデータを記憶するように構成される。これらのデータの例として、スマートデバイス１３００において操作される何れのアプリケーション又は方法に関する指令、連絡先データ、電話帳データ、メッセージ、画像、ビデオ等を含む。メモリ１３０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１３０】
電源アセンブリ１３０６は、スマートデバイス１３００の各種アセンブリに電力を供給するためのものであり、電源管理システム、１つ又は複数の電源、及びスマートデバイス１３００のために電力を生成、管理及び分配することに関連のある他のアセンブリを備えてもよい。
【０１３１】
マルチメディアアセンブリ１３０８は、スマートデバイス１３００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ１３０８は、フロントカメラ及び／又はバックカメラを備えてもよい。スマートデバイス１３００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１３２】
オーディオアセンブリ１３１０は、オーディオ信号を出力及び／又は入力するように構成される。例えば、オーディオアセンブリ１３１０は、マイクロフォン（ＭＩＣ）を有してもよい。スマートデバイス１３００が、例えば呼び出しモード、記録モード又は音声認識モードのような操作モードにある場合、マイクロフォンは外部のオーディオ信号を受信するように構成される。受信されたオーディオ信号は、メモリ１３０４に記憶されてもよく、通信アセンブリ１３１６を介して送信されてもよい。何れかの実施例において、オーディオアセンブリ１３１０は、オーディオ信号を出力するためのスピーカをさらに備えてもよい。
【０１３３】
Ｉ／Ｏインターフェース１３１２は、処理アセンブリ１３０２と周辺インターフェースモジュールとの間にインターフェースを提供するために用いられる。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１３４】
センサアセンブリ１３１４は、スマートデバイス１３００のために各方面の状態評価を提供するための少なくとも１つのセンサを備えてもよい。例えば、センサアセンブリ１３１４は、スマートデバイス１３００のオン／オフ状態や、アセンブリの相対的な位置を検出することができる。例えば、前記アセンブリがスマートデバイス１３００のディスプレイ及びキーパッドである場合、センサアセンブリ１３１４は、スマートデバイス１３００又はスマートデバイス１３００の１つのアセンブリの位置の変化や、ユーザとスマートデバイス１３００との接触の有無や、スマートデバイス１３００の方位又は加速／減速や、スマートデバイス１３００の温度変化を検出することができる。センサアセンブリ１３１４は、何れの物理的接触もない状況にて付近の物体の有無を検出できるように構成される近接センサを含んでもよい。センサアセンブリ１３１４は、さらに、画像表示技術分野に用いられる光センサ、例えばＣＭＯＳ又はＣＣＤ画像センサを含んでもよい。何れかの実施例において、当該センサアセンブリ１３１４は、さらに、加速度センサ、ジャイロスコープセンサ、磁気センサ、圧力センサ又は温度センサを含んでもよい。
【０１３５】
通信アセンブリ１３１６は、スマートデバイス１３００と他の設備との間の無線又は有線通信が便利になるように構成される。スマートデバイス１３００は、通信標準に基づく無線ネットワーク、例えばＷｉＦｉ、２Ｇ又は３Ｇ、又はそれらの組み合わせにアクセスできる。１つの例示的な実施例において、通信アセンブリ１３１６は、ブロードキャストチャンネルを介して外部のブロードキャスト管理システムからのブロードキャスト信号又はブロードキャストに関する情報を受信することができる。１つの例示的な実施例において、前記通信アセンブリ１３１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術により実現されてもよい。
【０１３６】
例示的な実施例において、スマートデバイス１３００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１３７】
例示的な実施例において、さらに、スマートデバイス１３００のプロセッサ１３２０により実行されることにより上述の方法を実現可能な指令が記憶され、且つコンピュータに読み取り可能な不揮発性の記録媒体、例えば指令が記憶されているメモリ１３０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１３８】
コンピュータに読み取り可能な不揮発性の記録媒体であって、スマートデバイスのプロセッサが前記記録媒体中の指令を実行することにより、スマートデバイスにアプリケーションインストール方法を実行させ、前記方法は、スマートデバイスとの通信接続を確立するステップと、前記通信接続を通じて前記スマートデバイスに、第１のアプリケーションの識別子を含み、且つ前記スマートデバイスに第１アプリケーションの識別子前記第１のアプリケーションを取得してインストールするよう指示するための第１の制御命令を受信するステップと、を含む記録媒体を提供する。
【０１３９】
説明を簡潔にするために、上述で記載されたアプリケーションインストール装置とスマートデバイスの具体的な作動過程については、前述の方法実施例における対応する過程を参考すればよいことを、当業者にとって容易に想到し得ることである。
【０１４０】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４１】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１４２】
本発明は、出願番号がＣＮ２０１５１０５８３７６４．２であって、出願日が２０１５年９月１４日である中国特許出願に基づき優先権を主張し、当該中国特許出願のすべての内容を本願に援用する。
【図１Ａ】
0006310159.tif 000002
【図１Ｂ】
0006310159.tif 000003
【図２】
0006310159.tif 000004
【図３Ａ】
0006310159.tif 000005
【図３Ｂ】
0006310159.tif 000006
【図４】
0006310159.tif 000007
【図５】
0006310159.tif 000008
【図６Ａ】
0006310159.tif 000009
【図６Ｂ】
0006310159.tif 000010
【図７】
0006310159.tif 000011
【図８Ａ】
0006310159.tif 000012
【図８Ｂ】
0006310159.tif 000013
【図９】
0006310159.tif 000014
【図１０】
0006310159.tif 000015
【図１１】
0006310159.tif 000016
【図１２】
0006310159.tif 000017
【図１３】
0006310159.tif 000018